(57)【特許請求の範囲】
【請求項１】
薬剤整列ローラーを有し、収容する薬剤を該ローラーの回転に応じて所定量毎に排出するカセッタと、該カセッタが着脱自在に装着され、該カセッタの装着時に前記ローラーに回転駆動力を伝達し得るように構成されたベース部材とを備え、一のカセッタは、該一のカセッタに対応したベース部材にしか装着できないようになっている薬剤収容容器であって、
前記カセッタのベース部材への装着時に互いに当接する該カセッタ及びベース部材の当接面の一方には、第１から第ｎの複数の識別用孔形成地点を有する識別用孔形成部が設けられ、
第１〜第ｎの識別用孔形成地点から選択される２以上の地点によって複数の要素から決定されるカセッタの装着位置を示す識別情報が設定され、しかも該２以上の地点は前記複数の要素を区別なく担うよう構成され、前記２以上の地点において識別用孔を有し、且つ、他の地点は閉塞されており、
前記当接面の他方には、前記識別用孔形成部と対向する位置に突起形成部が設けられ、
前記突起形成部は、前記識別用孔と対向する位置にのみ該識別用孔に係入される突起を有していることを特徴とする薬剤収容容器。
【請求項２】
前記識別用孔形成部及び突起形成部は、磁力によって互いに吸着されるように構成されていることを特徴とする請求項１に記載の薬剤収容容器。
【請求項３】
前記識別用孔形成部は、前記第１〜第ｎの全ての識別用孔形成地点に孔が形成され、且つ、識別用孔を形成すべき地点に対応する位置に開口が形成された閉塞部材が接合されていることを特徴とする請求項１又は２に記載の薬剤収容容器。
【請求項４】
前記突起形成部は、前記第１〜第ｎの識別用孔形成地点と対向する位置に開口を有するカバー部材と、前記突起が形成された突起プレートとを備え、
前記突起プレートの突起が前記カバー部材の開口に挿通された状態で、該突起プレートがカバー部材に保持されていることを特徴とする請求項１から３の何れかに記載の薬剤収容容器。
【請求項５】
前記ベース部材は、複数のベース部材を多段に支持する支持架台に着脱自在に装着されるものであり、前記カセッタが載置される載置部と、該載置部から上方に延びる当接部と、該当接部から前記載置部とは反対方向に延び、前記支持架台の表面との共働下に上下方向に延びる案内路を形成する一対の案内片とを備え、
前記カセッタから排出される薬剤が前記案内路に導入されるように構成されていることを特徴とする請求項１から４の何れかに記載の薬剤収容容器。
【発明の詳細な説明】
【０００１】
【発明の属する技術分野】
本発明は、主として病院等の医療機関で使用される薬剤選択供給装置に装着される薬剤収容容器に関する。
【０００２】
【従来の技術】
薬剤整列ローラーを有し、収容する薬剤を該ローラーの回転に応じて所定量づつ排出するカセッタと、該カセッタが着脱自在に装着され、該カセッタの装着時に前記ローラーに回転駆動力を伝達し得るように構成されたベース部材とを備えた薬剤収容容器を、ドラム等の支持架台に複数個設置してなる薬剤選択供給装置が、従来から広く使用されている。
【０００３】
より詳しく説明すると、前記支持架台には複数のベース部材が配設されており、該ベース部材のそれぞれに、対応するカセッタが装着される。そして、薬剤選択供給装置における操作装置からの信号に基づき、一のベース部材が駆動し、これにより、該一のベース部材に装着された一のカセッタのローラーが回転して該一のカセッタに収容された薬剤が排出されるようになっている。
【０００４】
即ち、前記薬剤選択供給装置においては、一のカセッタと一のベース部材とが一対一に対応している。その為、薬剤の詰め替え又は補給等の為に一のカセッタを取り外した場合には、該一のカセッタを対応するベース部材へ再び装着させる必要がある。
【０００５】
斯かるカセッタのベース部材への誤装着を防止する為に、実公平4-49044号公報には、カセッタのベース部材との当接面に、特定の孔へのピンの差し込みによって載置棚番号及び装填箇所番号をそれぞれ選定可能な一組の番号設定部を設け、一方、ベース部材のカセッタとの当接面には、前記一組の番号設定部の孔に対向する一組の嵌合孔部を設け、カセッタを対応するベース部材へ装着した場合には、前記ピンがベース部材の嵌合孔部に挿入され、これにより、カセッタとベース部材とのコネクタが接続され、該カセッタとベース部材とが電気的に接続されるように構成した薬剤収容容器が開示されている。
【０００６】
しかしながら、前記公報に記載のものは、薬剤収容容器が支持される支持架台の棚段を前記載置棚番号設定部で設定し、且つ、各棚段における薬剤収容容器の装填箇所を前記装填箇所番号設定部で設定するように構成されている為、以下に示す不都合があった。
【０００７】
即ち、例えば、支持架台が、上下方向に１６段及び水平方向に１６箇所の合計２５６箇所のベース部材装着領域を持っているとすると、前記載置棚番号設定部及び前記装填箇所番号設定部としてそれぞれ１６個づつの孔が必要となる。
従って、前記公報に記載のものにおいては、前記載置棚番号設定部及び装填箇所番号設定部に要する領域が大きくなり、これにより、カセッタ及びベース部材が大型化し、結果として、薬剤選択供給装置自体も大型化してしまうという問題があった。
【０００８】
【発明が解決しようとする課題】
本発明は前記問題点に鑑みなされたものであり、カセッタのベース部材への誤装着を防止しつつ、該カセッタ及びベース部材の大型化を有効に防止し得る薬剤収容容器を提供することを、一の目的とする。
【０００９】
【課題を解決するための手段】
本発明は、薬剤整列ローラーを有し、収容する薬剤を該ローラーの回転に応じて所定量毎に排出するカセッタと、該カセッタが着脱自在に装着され、該カセッタの装着時に前記ローラーに回転駆動力を伝達し得るように構成されたベース部材とを備え、一のカセッタは、該一のカセッタに対応したベース部材にしか装着できないようになっている薬剤収容容器であって、前記カセッタのベース部材への装着時に互いに当接する該カセッタ及びベース部材の当接面の一方には、第１から第ｎの複数の識別用孔形成地点を有する識別用孔形成部が設けられ、第１〜第ｎの識別用孔形成地点から選択される２以上の地点によって複数の要素から決定されるカセッタの装着位置を示す識別情報が設定され、しかも該２以上の地点は前記複数の要素を区別なく担うよう構成され、前記２以上の地点において識別用孔を有し、且つ、他の地点は閉塞されており、前記当接面の他方には、前記識別用孔形成部と対向する位置に突起形成部が設けられ、前記突起形成部は、前記識別用孔と対向する位置にのみ該識別用孔に係入される突起を有している薬剤収容容器を提供する。
【００１０】
好ましくは、前記識別用孔形成部及び突起形成部は、磁力によって互いに吸着されるように構成されるものとすることができる。
又、好ましくは、前記識別用孔形成部は、前記第１〜第ｎの全ての識別用孔形成地点に孔が形成され、且つ、識別用孔を形成すべき地点に対応する位置に開口が形成された閉塞部材が接合されているものとすることができる。
さらに、前記突起形成部は、前記第１〜第ｎの識別用孔形成地点と対向する位置に開口を有するカバー部材と、前記突起が形成された突起プレートとを備え、前記突起プレートの突起が前記カバー部材の開口に挿通された状態で、該突起プレートがカバー部材に保持されているものとすることができる。
【００１１】
より好ましくは、前記ベース部材は、複数のベース部材を多段に支持する支持架台に着脱可能に装着されるものであり、前記カセッタが載置される載置部と、該載置部から上方に延びる当接部と、該当接部から前記載置部とは反対方向に延び、前記支持架台の表面との共働下に上下方向に延びる案内路を形成する一対の案内片とを備え、前記カセッタから排出される薬剤が前記案内路内に導入されるように構成されているものとすることができる。
【００１２】
【発明の実施の形態】
以下に、本発明に係る薬剤収容容器の好ましい一実施の形態について、添付図面を参照しつつ説明する。図１は、本実施の形態に係る薬剤収容容器１が複数設置された薬剤選択供給装置１００を示しており、図１(a)及び(b)はそれぞれ部分平面図及び部分側面図を示している。又、図２(a)及び(b)は、それぞれ、薬剤収容容器１の平面図及び側面図であり、該薬剤収容容器におけるカセッタの非装着時の一状態を示している。
【００１３】
図１及び図２に示すように、薬剤収容容器１は、薬剤を収容するカセッタ１０と、該カセッタが着脱自在に装着されるベース部材２０とを備えている。
【００１４】
前記カセッタ１０は、上方が開口とされた薬剤収容部１１と、該薬剤収容部内に配設された薬剤整列ローラー１２と、前記薬剤収容部の上方開口を着脱自在に閉塞する蓋部材１３とを備え、収容する薬剤を該ローラー１２の回転に応じて所定量毎に排出し得るようになっている。
【００１５】
前記薬剤整列ローラー１２は、回転軸１２ａと、該回転軸１２ａに相対回転不能に支持されたローラー本体１２ｂと、前記回転軸１２ａの下端部に相対回転不能に支持された従動ギア１２ｃとを備えている。そして、該カセッタ１０は、前記薬剤整列ローラー１２の回転によって、該ローラーの周縁に整列された薬剤が、前記薬剤収容部１１の底壁に設けられた排出口（図示せず）から排出されるようになっている。
【００１６】
前記ベース部材２０は、ドラム等の支持架台１１０から外方へ突出するように該支持架台１１０に設けられる。なお、本実施の形態においては、該ベース部材２０は、ボルト等の締結手段によって前記支持架台１１０に着脱可能に設置されるが、これに代えて、ベース部材を支持架台に着脱不能に設けることも可能である。
【００１７】
本実施の形態において、前記ベース部材２０は、前記支持架台１１０に着脱自在に固定されるようになっている。詳しくは、前記ベース部材２０は、前記カセッタ１０が載置される載置部２１と、該載置部２１から上方に延びる当接部２２と、該当接部２２から前記載置部２１とは反対側へ延びる一対の案内片２３とを備えており、前記一対の案内片２３と前記支持架台１１０の表面とにより上下方向に延びる空間が形成されるように、前記支持架台１１０に装着されている。
【００１８】
前記上下方向に延びる空間は、前記カセッタ１０から払い出される薬剤を、前記支持架台１１０の下方に配されるホッパ（図示せず）へ案内する案内路３０となるものである。即ち、本実施の形態においては、カセッタ１０から排出された薬剤をドラム等の支持架台の下方に配設されるホッパへ案内する案内路が、支持架台の内部に形成されるのではなく、ベース部材２０と支持架台１１０の表面とによって形成されるようになっている。従って、前記ベース部材２０を支持架台１１０に対して着脱自在としておけば、前記案内路３０の清掃を簡単に行うことができる。
【００１９】
即ち、前記案内路３０は薬剤が通過するものであるから、該案内路３０には薬剤のコーティング部材等が付着する。その為、案内路の清掃が必要となる。例えば、前記案内路を支持架台の内部、例えば、ドラムの内部に形成しておくと、案内路の清掃の為にドラムの分解が必要となる。
【００２０】
これに対し、本実施の形態におけるように、前記ベース部材２０を支持架台１１０に対し着脱自在としつつ、該ベース部材２０における一対の案内片２３と支持架台１１０の表面とによって前記案内路３０を形成すれば、支持架台１１０を分解することなく案内路３０の清掃を行うことが可能となる。
【００２１】
又、ドラム等の支持架台の内部に前記案内路を形成すると、該支持架台の表面に、薬剤収容容器の排出口と前記案内路とを連通させる連通孔を形成する必要が生じ、支持架台の製造コストの高騰を招くことになるが、本実施の形態においては斯かる不都合は生じない。
なお、図中、符号３１は、前記カセッタ１０の排出口と前記案内路３１とを連通する連通路である。
【００２２】
さらに、前記ベース部材２０は、前記載置部２１の内部に収容されるモータ２４と、下端部が該モータ２１に相対回転不能に支持され且つ上端部が前記載置部２１の上面から上方に延びる駆動軸２５と、該駆動軸２５の上端部に相対回転不能に支持された駆動ギア２６とを備えている。該駆動ギア２６は、前記カセッタ１０をベース部材２０に装着させた際に、該カセッタ１０の従動ギア１２ｃと噛合するようになっている。
【００２３】
図３に、図２(b)におけるＡ矢視方向から視たカセッタ１０の背面図を示す。又、図４に、前記カセッタ１０を背面側から視た部分分解斜視図を示す。さらに、図５に、図２(b)におけるＢ矢視方向から視たベース部材２０の正面図を示す。
前記ベース部材２０は、前記カセッタ１０を前記ベース部材２０に装着した際に該カセッタ１０と当接する部分に、識別用孔形成部６０を有している。該識別用孔形成部６０は、それぞれに別個の孔が形成され得る第１〜第ｎの識別用孔形成地点を有している。そして、該識別用孔形成地点のうち２以上の地点において、識別用孔が形成され、他の識別用孔形成地点は閉塞されている。
【００２４】
前記識別用孔形成地点のうち実際に識別用孔が形成される地点は、支持架台に支持又は設置される複数のベース部材のそれぞれにおいて異なっており、これにより、該複数のベース部材のそれぞれが互いに識別され得るようになっている。
図５に示すベース部材２０においては、第１〜第１２の１２個の識別用孔形成地点６１ａ〜６１ｌを有し、該１２の地点のうち、第１，第６，第１０及び第１２の４地点６１ａ，６１ｆ，６１ｊ，６１ｌにおいて識別用孔６２が形成されている。
【００２５】
本実施の形態においては、前記１２個の識別用孔形成地点６１ａ〜６１ｌのうち，何れの地点に識別用孔が形成されているかを２進数で表示し、該２進数表示で表される数字の小さい方から大きい方へ向かってベース部材の識別番号を付与している。
図６に、識別用孔の形成位置と識別番号との対応表を示す。図５に示す形態においては、前述のように、第１，第６，第１０及び第１２の４地点において識別用孔が形成されている。従って、これを２進数で表示すると、“１０１０００１００００１”となり、識別番号“４２５”が与えられる。
【００２６】
一方、前記カセッタ１０は、前記ベース部材２０の当接部２２と当接する当接面に、前記識別用孔形成部６０と対向する突起形成部５０を有している。該突起形成部５０は、第１〜第１２の識別用孔形成地点６１ａ〜６１ｌと対向する位置に、第１〜第１２の突起形成地点５１ａ〜５１ｌを有しており、該識別用孔形成地点のうち前記識別用孔と対向する地点にのみ突起が形成されている。
【００２７】
本実施の形態においては、図３及び図４に示すように、第１，第６，第１０及び第１２の突起形成地点５１ａ，５１ｆ，５１ｊ，５１ｌに突起５２が形成されている。斯かるカセッタ１０には、前記ベース部材におけると同様に、識別番号“４２５”が付与されている。
【００２８】
例えば、識別番号“４２６”のカセッタは、第２，第６，第１０及び第１２の突起形成地点に突起が形成されている（図６参照）。前記識別番号“４２５”のベース部材は、第２の識別用孔形成地点５１ｂが閉塞されているから、識別番号“４２６”のカセッタを該識別番号“４２５”のベース部材に装着することはできない。即ち、記識別番号“４２５”のベース部材には、識別番号“４２５”のカセッタしか装着できない。
【００２９】
このように、本実施の形態においては、一のカセッタ１０は、該一のカセッタ１０に対応したベース部材２０にしか装着できないようになっており、これにより、カセッタの誤装着が防止されるようになっている。
さらに、本実施の形態においては、複数の識別用孔形成地点６１ａ，６１ｂ，・・・及び突起形成地点５１ａ，５１ｂ，・・・のそれぞれから選択される２以上の地点を２進数表示し、該２進数表示を用いてベース部材２０及びカセッタ１０に識別番号を付与するように構成しているので、識別用孔形成地点及び突起形成地点を多く設けることなく、多数の識別が可能となっている。
【００３０】
即ち、前記実公平4-49044号公報に記載の薬剤収容容器においては、２５６（＝１６×１６）種類の識別を行う為に、ベース部材又はカセッタに３２（＝１６＋１６）個の孔を形成する必要がある。
【００３１】
これに対し、本実施の形態においては、ベース部材２０及びカセッタ１０にそれぞれ１２個の識別用孔形成地点及び突起形成地点を用意するだけで、４９５種類の識別が可能となっている（図６参照）。従って、本実施の形態においては、多種の識別が可能でありながら、ベース部材及びカセッタにおける識別用孔形成部及び突起形成部を大きくとる必要がなく、該ベース部材及びカセッタの小型化を図ることができる。
【００３２】
好ましくは、図７に示すように、前記ベース部材２０における当接面の第１〜第１２の識別用孔形成地点６１ａ〜６１ｌに全て孔を形成しておき、識別用孔が形成されるべき地点に対応する位置に開口が形成された閉塞部材６５を、前記識別用孔形成部に接合させることができる。このように構成することによって、前記閉塞部材６５を取り替えるだけでベース部材２０の識別番号を変更させることができる。
【００３３】
又、好ましくは、図４に示すように、前記カセッタ１０に、前記第１〜第１２の突起形成地点５１ａ〜５１ｌのうちの所定位置に突起５２が形成された突起プレート５５と、前記第１〜第１２の突起形成地点の全てに開口が形成され且つ該カセッタの当接面に着脱自在に装着されるカバー部材５６とを備え、該カバー部材５６によって前記突起プレート５５を支持するように構成することができる。このように構成することによって、前記突起プレート５５を変更するだけで、カセッタ１０の識別番号を容易に変更することができる。
【００３４】
さらに好ましくは、前記カセッタ１０における突起形成部５０と前記ベース部材２０における識別用孔形成部６０との少なくとも一方を磁石等の磁性材料で形成し、該突起形成部５０及び識別用孔形成部６０が磁力によって互いに吸着されるように構成することができる。このように構成することによって、カセッタ１０のベース部材２０への装着状態を確実に保持することができ、不意にカセッタ１０がベース部材２０から外れることを有効に防止できる。
【００３５】
なお、本実施の形態においては、ベース部材に識別用孔を設け、カセッタに突起を設けたが、これを逆に構成することも可能である。即ち、ベース部材に突起を設け、カセッタに識別用孔を設けても良い。
又、本実施の形態においては、支持架台１１０としてドラムを例に説明したが、当然ながら、ドラムに変えて、棚式の支持架台や引き出し式の支持架台等、種々の支持架台を用いることができる。
【００３６】
【発明の効果】
本発明に係る薬剤収容容器によれば、カセッタのベース部材への装着時に互いに当接する該カセッタ及びベース部材の当接面の一方に、第１から第ｎの複数の識別用孔形成地点を有する識別用孔形成部を設け、該識別用孔形成部は、前記第１〜第ｎの識別用孔形成地点のうち２以上の地点において識別用孔を有し、且つ、他の地点は閉塞されており、前記当接面の他方には、前記識別用孔形成部と対向する位置に突起形成部を設け、前記突起形成部は、前記識別用孔と対向する位置にのみ該識別用孔に係入される突起を有するように構成したので、カセッタのベース部材への誤装着を防止しつつ、該カセッタ及びベース部材の大型化を有効に防止することができる。
【００３７】
又、前記識別用孔形成部及び突起形成部が磁力によって互いに吸着保持されるように構成すれば、意に反してカセッタがベース部材から外れることを有効に防止できる。
又、前記識別用孔形成部を、前記第１〜第ｎの全ての識別用孔形成地点に孔が形成され、且つ、識別用孔を形成すべき地点に対応する位置に開口が形成された閉塞部材が接合されてなるものとすれば、該閉塞部材を変更するだけで容易に識別番号を変更することができる。
又、前記突起形成部を、前記第１〜第ｎの識別用孔形成地点と対向する位置に開口を有するカバー部材と、前記突起が形成された突起プレートとを備え、前記突起プレートの突起が前記カバー部材の開口に挿通された状態で、該突起プレートがカバー部材に保持されているものとすれば、前記突起プレートを変更するだけで容易に識別番号を変更することができる。
【００３８】
さらに、前記ベース部材は、複数のベース部材を多段に支持する支持架台に着脱可能に装着されるものである場合において、該ベース部材を、前記カセッタが載置される載置部と、該載置部から上方に延びる当接部と、該当接部から前記載置部とは反対方向に延び、前記支持架台の表面との共働下に上下方向に延びる案内路を形成する一対の案内片とを備えるものとし、前記カセッタから排出される薬剤が前記案内路内に導入されるように構成すれば、該案内路の清掃を容易に行うことができる。
【図面の簡単な説明】
【図１】図１(a)及び(b)は、それぞれ、本発明の一実施の形態に係る薬剤収容容器が複数設置された薬剤選択供給装置の部分平面図及び部分側面図である。
【図２】図２(a)及び(b)は、それぞれ、図１に示す薬剤収容容器の平面図及び側面図である。
【図３】図３は、図２(b)におけるＡ矢視方向から視たカセッタの背面図である。
【図４】図４は、図３に示すカセッタを背面側から視た部分分解斜視図である。
【図５】図５は、図２(b)におけるＢ矢視方向から視たベース部材の正面図である。
【図６】図６は、カセッタ又はベース部材に付与される識別番号表である。
【図７】図７は、前記ベース部材の変更例の正面図である。
【符号の説明】
１                薬剤収容容器
１０              カセッタ
１２              薬剤整列ローラー
２０              ベース部材
２１              装着部
２２              当接部
２３              一対の案内片
３０              案内路
５０              突起形成部
５５              突起プレート
５６              カバー部材
５１ａ〜５１ｌ    突起形成地点
５２              突起
６０              識別用孔形成部
６１ａ〜６１ｌ    識別用孔形成地点
６２              識別用孔
６５              閉塞部材
【図１】
0004719338.tif 000002
【図２】
0004719338.tif 000003
【図３】
0004719338.tif 000004
【図４】
0004719338.tif 000005
【図５】
0004719338.tif 000006
【図６】
0004719338.tif 000007
【図７】
0004719338.tif 000008